(57)【要約】【課題】厚みのある商品を外から透視できる状態で包装する包装用パッケージについて、確実で簡単に貼着できて、見栄えが良いものを提供する。【解決手段】窓部１０を透明で伸縮性があるストレッチフィルム１１で塞ぎ、表裏部９、１２の内面同士を粘着する前に、前記ストレッチフィルム１１に乗せた商品Ｇの裏面を前記表部９の内面と略面一になる位置まで押し込むことでストレッチフィルム１１を伸長させ、商品Ｇが表側に膨出した状態で包装できるように構成した。【選択図】図２
2012153396.tif 000002
【特許請求の範囲】
【請求項１】
厚みのある商品を包装する包装用パッケージであって、該包装用パッケージは、窓部が形成され、該窓部が透明で伸縮性があるストレッチフィルムで塞がれた表部と、該表部に対してミシン目で折り曲げられて、内面が表部内面に粘着する裏部とからなり、前記ストレッチフィルムは、表裏部の内面同士を粘着する前に前記商品の裏面が前記表部内面と略面一になる位置まで押し込まれることで表側に膨出するようにして伸長するものであることを特徴とする包装用パッケージ。
【請求項２】
裏部は、表部の窓部に対応する位置に窓部がないものとし、裏部内面に貼着している剥離紙は、表部の窓部に対応する形状よりも大きいスペースとなるよう切込みが形成されていて、裏部内面から剥離紙を剥がした場合にスペース部が裏部内面に残るように構成されていることを特徴とする請求項１記載の包装用パッケージ。
【請求項３】
裏部には、表部の窓部に対応する位置に窓部が形成されるものとし、該裏部の窓部は透明で伸縮性があるストレッチフィルムで塞がれており、該裏部側のストレッチフィルムは、商品の裏部が窓部と略面一になる位置まで押し込まれた表部側ストレッチフィルムの復元力を受けて表部側ストレッチフィルムの表側への伸長量よりは少ないが裏側に向けて膨出するように伸長していることを特徴とする請求項１記載の包装用パッケージ。
【発明の詳細な説明】
【技術分野】
【０００１】
本発明は、厚みのある商品を外から透視できる状態で包装することができる商品の包装用パッケージの技術分野に関する。
【背景技術】
【０００２】
従来、厚みのある商品を外から透視できるように包装するものとしてブリスターパックが知られている。
ブリスターパックとは、厚紙等の台紙の上に置いた商品を、該商品の形に応じた透明な硬質プラスチックで覆い、台紙と硬質プラスチックとを接着させたりスライド式に着脱させたりする包装方式であって、硬質プラスチックは立体的に成型されるため、各商品の形状に応じた型が必要であって高額で、少量の生産には適合せず、さらには石油加工製品を多く使用しているため、環境に配慮できないといった問題がある。
【０００３】
そこで、商品を露出させるための窓を設けると共に、該窓を含めた全体に透明フィルムを貼った台紙で表裏から商品を狭持し、台紙の窓から商品が見える状態で包装できるようにした包装用パッケージが知られている（例えば、特許文献１参照）。
しかしながら、前記特許文献１に記載の包装用パッケージでは、厚みのある商品を包み込もうとすると透明フィルムが破けてしまったり、透明フィルムが引きつって台紙が歪んで綺麗に包装することが難しかった。またこのものは、表裏から商品を狭持した後に該包装用パッケージの外周部を接着固定する構成であるため、商品の収納に際し、手間がかかるといった問題がある。
これに対し、特許文献２のように表裏部に続く窓を設け、該窓に伸縮性があるストレッチフィルムで塞ぐようにし、厚みのある商品を伸長する両面のストレッチフィルムで挟むようにしたものがある。
【先行技術文献】
【特許文献】
【０００４】
【特許文献１】特開平７−２１５３３２号公報
【特許文献２】実願昭４９−１１８５２２号（実開昭５１−４５０９０号）のマイクロフイルム
【発明の概要】
【発明が解決しようとする課題】
【０００５】
ところで特許文献２のものは、表裏両面のストレッチフィルムで均等に商品を挟持するものであるから、商品は表裏両面に均等に突出した状態での包装となるため、表部側から商品の凡そを見通すことが難しく、裏返して見なければ全体的な構造が判りづらい許りでなく、表裏部の窓部は折返し部で続くものであるから、商品は、包装用パッケージの下側に偏倚した状態での包装となって表裏部を貼着した場合、ストレッチフィルムよりも下側部位での貼着がなく、このため折返し部がどうしても剥離しやすいものになって包装性に劣るという問題や、商品によって窓部の形状を種々変更することが要求されるが、表裏窓部が折返し部で連結する袋状のものであるため、変更しにくいといった問題がある。
さらに特許文献２のものは、包装用パッケージの下側に偏倚した状態で商品を包装するため、包装用パッケージの中央で包装したものと比べて商品のアピール度に欠けるといった問題があり、これらに本発明の解決すべき課題がある。
【課題を解決するための手段】
【０００６】
本発明は、上記の如き実情に鑑みこれらの課題を解決することを目的として創作されたものであって、請求項１の発明は、厚みのある商品を包装する包装用パッケージであって、該包装用パッケージは、窓部が形成され、該窓部が透明で伸縮性があるストレッチフィルムで塞がれた表部と、該表部に対してミシン目で折り曲げられて、内面が表部内面に粘着する裏部とからなり、前記ストレッチフィルムは、表裏部の内面同士を粘着する前に前記商品の裏面が前記表部内面と略面一になる位置まで押し込まれることで表側に膨出するようにして伸長するものであることを特徴とする包装用パッケージである。
請求項２の発明は、裏部は、表部の窓部に対応する位置に窓部がないものとし、裏部内面に貼着している剥離紙は、表部の窓部に対応する形状よりも大きいスペースとなるよう切込みが形成されていて、裏部内面から剥離紙を剥がした場合にスペース部が裏部内面に残るように構成されていることを特徴とする請求項１記載の包装用パッケージである。
請求項３の発明は、裏部には、表部の窓部に対応する位置に窓部が形成されるものとし、該裏部の窓部は透明で伸縮性があるストレッチフィルムで塞がれており、該裏部側のストレッチフィルムは、商品の裏部が窓部と略面一になる位置まで押し込まれた表部側ストレッチフィルムの復元力を受けて表部側ストレッチフィルムの表側への伸長量よりは少ないが裏側に向けて膨出するように伸長していることを特徴とする請求項１記載の包装用パッケージである。
【発明の効果】
【０００７】
請求項１の発明とすることにより、厚みのある商品を包装しても確実で綺麗に包装用パッケージの表部と裏部とを貼着できる。
請求項２の発明とすることにより、商品は剥離紙上に位置することになって、粘着剤で破損するのを防ぐことができる。
請求項３の発明とすることにより、表裏の両側にストレッチフィルムで塞いだ窓部が形成されているため、商品の全体像を容易に見ることができる。
【図面の簡単な説明】
【０００８】
【図１】第一の実施の形態における（Ａ）は横断面図、（Ｂ）は斜視図である。
【図２】（Ａ）〜（Ｃ）は、同上商品の包装方法を示す説明図である。
【図３】第二の実施の形態における（Ａ）は横断面図、（Ｂ）は斜視図である。
【図４】（Ａ）〜（Ｄ）は、同上商品の包装方法を示す説明図である。
【図５】（Ａ）〜（Ｄ）は、第三〜六の実施の形態における包装用パッケージの展開図である。
【図６】（Ａ）〜（Ｄ）は、同上包装用パッケージを組み立てた状態を示す斜視図である。
【発明を実施するための形態】
【０００９】
以下、本発明の第一の実施の形態について、図面に基づいて説明する。図面において、１は包装用パッケージであって、該包装用パッケージ１は階層状になっており、商品を収納する面となる内面側から外面側に向けて、剥離紙（セパレータ）２、粘着剤３、台紙４、印刷インキ面５、粘着剤６、外面保護用フィルム（ラミネートフィルム）７が順次積層されたものとして構成されている。尚、図面では剥離紙２、粘着剤３、台紙４、印刷インキ面５、粘着剤６、外面保護用フィルム７が同程度の厚さになっているが、台紙４が実質的な厚みを与えているものであって、剥離紙２、粘着剤３、印刷インキ面５、粘着剤６、外面保護用フィルム７は数〜数十マイクロメートル（μｍ）程度の厚さしかないことはいうまでもない。
詳細には、基本層となる台紙４の外面側である印刷面５は、商品の名称や宣伝等が印刷されており、該印刷面５を粘着剤６を介して外面保護用フィルム７で覆うようにしている。一方、前記台紙４の内面側には、粘着剤３を介して剥離紙２が貼着されて、粘着剤３にゴミやホコリ等が付着しないように保護している。
【００１０】
また、包装用パッケージ１は、図面において左右中央部位に入れたミシン目８で折り曲げて使用することになるが、包装用パッケージ１を陳列する場合に表側となる表部９には、商品が外側から見えるようにするための窓部１０が略中央位置に形成されており、該窓部１０位置において、前述の剥離紙２、粘着剤３、台紙４、印刷面５、粘着剤６、外面保護用フィルム７は切り欠かれた状態となっている。そして、該表部９の内面側には、伸縮性を有するストレッチフィルム１１が窓部１０全体を覆うよう窓部１０の周縁部にある粘着剤３を介して台紙４に貼付され、さらに剥離紙２は、表部９の内面全部だけでなく、包装用パッケージ１を陳列する場合に裏側となる裏部１２の内面全部にも貼着されている。
前記剥離紙２のうち、裏部１２側のものには、裏部内面側１２ａに剥離紙２から粘着剤３に亘る深さまでスリット１３が入っているが、該スリット１３は、前記ミシン目８で折り曲げて表裏部９、１２の粘着剤３同士を貼着したとき、前記窓部１０と対応する形状になっているが、本実施の形態ではスリット１３は、窓部１０よりも僅かに大きい形状になっていて、前記表裏部９、１２を貼着したとき、窓部１０からは剥離紙２が見えるだけで、スリット１３は見えないようになっている。
さらに表裏部９、１２には、前記表裏部９、１２を貼着したとき、包装用パッケージ１をフック等に引っ掛けることができる吊下げ孔１４、１４ａが形成されている。
【００１１】
次ぎに、商品Ｇの包装方法について説明する。まず、包装用パッケージ１の内面側（剥離紙２側）を上にした状態で剥離紙２を剥がすと、表部９ではストレッチフィルム１１が露出する一方、裏部１２では剥離紙２のスリット１３の内部スペースＳが残る。この状態で、該ストレッチフィルム１１の上に包装する厚みのある商品Ｇを乗せ、該商品Ｇの裏面（ストレッチフィルム１１と接すると反対側の面）が表部９の内面と略面一状になるまで商品Ｇを押し込む。その後、ミシン目８で包装用パッケージ１を折り曲げて表部９と裏部１２との内面同士を粘着剤３で貼着することで、商品Ｇの包装ができる。
このとき商品Ｇは、前記内部スペースＳ部分、つまり剥離紙２上に位置することになって、商品Ｇが粘着剤３に張り付いて剥がし難かったり、商品の一部が粘着剤１３によって剥げてしまうといった問題がない。しかも、前記内部スペースＳは、窓部１０以上の大きさであるため、ストレッチフィルム１１が縒れた状態や、皺ができた状態になって粘着剤３に張り付くことを防ぐことができる。
そして包装用パッケージ１から商品Ｇを取り出すには、包装用パッケージ１の端縁に形成した切れ込み１５からストレッチフィルム１１位置まで包装用パッケージ１を破る等すればよく、これによって簡単に商品Ｇを包装用パッケージ１から取り出すことができる。
【００１２】
叙述の如く構成された本発明の第一の実施の形態において、包装用パッケージ１は、伸縮性があるストレッチフィルム１１で窓部１０を覆っているので、厚みのある商品Ｇであっても、見栄え良く包装することが容易にできる。さらに裏部１２側には、スリット１３によって剥離紙２が残る内部スペースＳが構成されていて、該内部スペースＳ上に商品Ｇが置かれた状態で包装されるため、商品Ｇが粘着剤３に張り付いてしまったり、商品Ｇの一部が粘着剤３によって破損してしまったりするという問題がないものとすることができる。
しかもこのものは、石油系素材をブリスターパックに比べて１００分の１以下に抑えることができるため、環境に配慮した包装用パッケージ１とすることができる。
【００１３】
そのうえこのものでは、スリット１３によって残った剥離紙２上に商品Ｇを載置した状態で表部９を裏部１２に貼着するものではなく、前述したようにストレッチフィルム１１上に商品Ｇを載せ、ストレッチフィルム１１を商品Ｇで伸ばした状態で裏部１２を表部９に貼着するので、表裏部９、１２がよく位置決めされた状態での包装ができ、表裏部９、１２がずれてしまって外観（商品性）を損なうようなことがない。
さらに、商品Ｇは包装用パッケージ１の略中央位置に設けられた窓部１０から透視することができるため、商品アピール度が高いものとなって、顧客吸引力を高めることができる。
【００１４】
また、本実施の形態において窓部１０は略四角形状をしているが、窓部１０およびスリット１３で形成する内部スペースＳの形状を変えることで、商品Ｇの形状に応じた任意の形状をとることが容易にできる。
【００１５】
尚、本発明は前記第一の実施の形態に限定されるものでなく、図３、４に示す第二の実施の形態のように、表部１６だけでなく、裏部１７側に表部１６と同形状に形成した窓部にストレッチフィルムを貼着することで、表裏部１６、１７の両面から商品Ｇを透視できるようにした包装用パッケージ１８とすることもできる。
本第二の実施の形態において、該包装用パッケージ１８が、商品を収納する面となる内面側から外面側に向けて、剥離紙２、粘着剤３、台紙４、印刷インキ面５、粘着剤６、外面保護用フィルム７が順次積層されたものとして構成されている点、ミシン目８で包装用パッケージを折り曲げる点、吊り下げ孔１４、１４ａや切れ込み１５を有する点については第一の実施の形態と同様であるため、説明を省略する。
【００１６】
そして、包装用パッケージ１８の表部１６、裏部１７の両面には、商品が外側から見えるようにするための窓部１９、１９ａが略中央位置に同一形状のものとして形成されており、このものでは該窓部１９、１９ａ位置において、前述の剥離紙２、粘着剤３、台紙４、印刷面５、粘着剤６、外面保護用フィルム７は切り欠かれた状態となっている。さらに、剥離紙２を台紙４等よりも一回り大きく切り欠くことで粘着剤３を露出させ、後述するストレッチフィルム２０、２０ａの糊代２１、２１ａを形成している。
そして、該表部１６、１７の内面側には、ストレッチフィルム２０、２０ａが各窓部１９、１９ａ全体をそれぞれ覆うよう窓部１９、１９ａの周縁部にある糊代２１、２１ａから露出する粘着剤３を介して台紙４に貼付されているが、ストレッチフィルム２０、２０ａの外周縁部を剥離紙２上（剥離紙２の内面側）に位置させることで、外面保護用フィルム７から剥離紙２までを積層した後に、ストレッチフィルム２０、２０ａを貼着させることができる。
また、使用前においてストレッチフィルム２０、２０ａをゴミやホコリから保護するべく、該ストレッチフィルム２０、２０ａを剥離紙（図示せず）でそれぞれ覆ってもよい。
【００１７】
次ぎに、商品Ｇの包装方法について説明する。まず、包装用パッケージ１８の内面側（剥離紙２側）を上にした状態で剥離紙２を剥がすと、これに伴ってストレッチフィルム２０、２０ａの剥離紙２上に位置していた外周縁部が粘着剤３に貼着される。この状態で、表部１６側のストレッチフィルム２０の上に包装する厚みのある商品Ｇを乗せ、該商品Ｇの裏面（ストレッチフィルム２０と接すると反対側の面）が前記表部１６の内面と略面一状になるまで商品Ｇを押し込む。その後、ミシン目８で包装用パッケージ１８を折り曲げて表部１６と裏部１７との内面同士を粘着剤３で貼着することで、商品Ｇの包装ができる。
このとき裏部１７側のストレッチフィルム２０ａは、商品Ｇを表部１６位置まで押し込まれた表部１６側のストレッチフィルム２０の弾性復元力を受けて、該ストレッチフィルム２０の表部側１６側への伸長量よりは少ないが、裏部側１７に向けて膨出するように伸長することになる。
これにより、包装用パッケージ１８で包装された商品Ｇは、表部１６側からだけでなく、裏部１７側からも透視できるようになって、商品の全体像を容易に見ることができる。
なお、包装用パッケージ１８から商品Ｇを取り出す方法は、第一の実施の形態と同様であるため説明を省略する。
【００１８】
叙述の如く構成された本発明の第二の実施の形態において、包装用パッケージ１８は、表部１６、裏部１７の両窓部１９、１９ａをストレッチフィルム２０、２０ａで覆っているので、商品の表側だけでなく、裏側についても容易に見ることができ、商品Ｇの全体を見たいといった顧客の感心を引き付けることができる。
しかもこのものは、商品Ｇの膨出量が表部１６側の方が裏部１７側よりも大きいため、店舗等に陳列した場合の商品Ｇのアピール度が大きく、顧客の目を引き付けることができる。
【００１９】
なお、第二の実施の形態では、ストレッチフィルム２０、２０ａが剥離紙２の上から窓部１９、１９ａを覆うように構成したが、第一の実施の形態と同様、ストレッチフィルム２０、２０ａを粘着剤３で貼着させてから剥離紙２を貼着させるようにしてもよいことは勿論である。
【００２０】
また、以下に示す第三〜六の実施の形態のように、包装用パッケージ１８を棚等に平置きできるよう脚部を包装用パッケージに設けることもできる。
例えば、図５（Ａ）、図６（Ａ）の第三の実施の形態のように、包装用パッケージ１８の左右端の何れか一方と下端に延長部２２ａ、２２ｂを折り曲げ線２２ｃを介して設け、該延長部２２ａ、２２ｂを折り曲げ線２２ｃで裏部１７側に折り曲げて貼着組み立てすることで、脚部２２を形成するようにすることができる。
さらに、図５（Ｂ）、図５（Ｂ）の第四の実施の形態のように、包装用パッケージ１８の下端に延長部２３ａを第一折り曲げ線２３ｂを介して設け、さらに表部１６と裏部１７の内面同士を貼着した状態の包装用パッケージ１８の左右端下半部に折り曲げ部２３ｃを第二折り曲げ線２３ｄを介して設け、これら延長部２３ａ、２３ｃをそれぞれ第一、第二折り曲げ線２３ｂ、２３ｄで裏部１７側に折り曲げて粘着組み立てすることで、脚部２３を形成するようにすることも  できる。
また、図５（Ｃ）、図６（Ｃ）の第五の実施の形態のように、包装用パッケージ１８の下端に延長部２４ａを第一折り曲げ線２４ｂを介して設け、さらに該延長部２４ａの左右に一対の支持部２４ｃ、２４ｄを折り曲げ線２４ｅを介して設け、該延長部２４ａと該支持部２４ｃ、２４ｄとを第一、第二折り曲げ線２４ｂ、２４ｅで裏部１７側に折り曲げて貼着すると共に、さらに支持部２４ｃ、２４ｄを裏部１７に貼着させて組み立てることで、脚部２４を形成するようにすることもできる。
またさらに、図５（Ｄ）、図６（Ｄ）の第六の実施の形態のように、第一〜第三折り曲げ線２５ａ、２５ｂ、２５ｃを介して第一〜第三延長部２５ｄ、２５ｅ、２５ｆを設け、第一延長部２５ｄを第一折り曲げ線２５ａで裏側に向けて折り曲げ、第二延長部２５ｅを第二折り曲げ線２５ｂで上表側に向けて傾斜状に折り曲げ、さらに第三延長部２５ｆを第三折り曲げ線２５ｃで上側に向けて折り曲げ、そして第三延長部２５ｆを裏部１７の裏面に貼着することで脚部２５を形成することができる。
【００２１】
そして第三〜第六の実施の形態のようにすることで、棚やワゴン台等に並べたい場合やフック等に掛けられない場合であっても、平面状に綺麗に陳列することができ、しかも顧客が商品を手に取りやすく、さらに、傾斜した状態で商品を並べることができるため見栄えが良く、商品のアピール度を上げることができる。しかもこれらの脚部は、表裏部からそれぞれ延長したものを貼着して脚部としているから、強度的に強いものとすることができる。
また、商品の形状、重さや包装用パッケージのデザイン等に応じて、脚部の形状を適宜選択することが容易である。
なお、本第三〜第六の実施の形態において、包装用パッケージは第二の実施の形態の包装用パッケージ１８を用いたが、第一の実施の形態の包装用パッケージ１を用いることができることは勿論である。
【産業上の利用可能性】
【００２２】
本発明は、厚みのある商品を外から透視できる状態で包装することができる商品の包装用パッケージの技術分野に利用することができる。
【符号の説明】
【００２３】
１  包装用パッケージ
２  剥離紙
３  粘着剤
１０  窓部
１１  ストレッチフィルム
１３  スリット
１８  包装用パッケージ
１９、１９ａ  窓部
２０、２０ａ  ストレッチフィルム
Ｇ  商品
Ｓ  内部スペース
【図１】
2012153396.tif 000003
【図２】
2012153396.tif 000004
【図３】
2012153396.tif 000005
【図４】
2012153396.tif 000006
【図５】
2012153396.tif 000007
【図６】
2012153396.tif 000008